(57)【特許請求の範囲】
【請求項１】
１台又は複数台のポンプを制御するポンプ制御盤への入力操作が行われ、かつ前記ポンプ制御盤に関する表示を行う制御盤用操作表示装置において、
前記ポンプの台数に依らず、操作内容に変更が生じない基本操作が行なわれる基本操作部及び前記ポンプ制御盤に関する表示を行う表示部とを有する基本機能基板と、
前記ポンプの台数に応じて操作内容に変更が生じる個別操作が行なわれる個別操作部を有し、前記ポンプの台数に対応して選択される個別機能基板と、
前記基本機能基板と前記個別機能基板とを接続する接続部と、
前記ポンプの最大台数分の表示器と、
前記基本機能基板の表面側に取り付けられ、前記表示器の前面側を前記ポンプの台数に応じて閉塞する化粧ラベルと、
を備え、
前記基本機能基板は、前記基本操作部及び前記表示器を前面側に搭載するとともに、表裏を貫通する開口部を有し、
前記個別操作部が前記開口部を介して前記基本機能基板の前面側に露出していることを特徴とする制御盤用操作表示装置。
【請求項２】
前記基本機能基板には、数値を表示する７セグメントＬＥＤ、電源の表示及びリセットを操作する電源表示リセットスイッチ部、運転の故障を表示する運転故障表示部、ポンプ運転時およびメニュー操作時に必要な各種情報を表示する液晶表示装置、水位を表示する液面表示部、受水槽の選択及び流入弁の操作を行う受水槽流入弁操作部、警報を行う警報部、メニューを選択決定するメニュー操作部が設けられ、
前記個別機能基板には、前記ポンプの台数に対応した、該ポンプの運転内容を入力する運転選択スイッチ部が設けられていることを特徴とする請求項１に記載の制御盤用操作表示装置。
【請求項３】
汎用プロトコルであるＭｏｄｂｕｓ−ＲＴＵによってシリアル通信可能な通信ポート及び前記Ｍｏｄｂｕｓ−ＲＴＵ以外の通信プロトコルによってシリアル通信可能な通信ポートと、前記操作部と前記表示部を制御するマイクロコンピュータからなる制御装置と、電源にかかわらず記憶内容を保持する不揮発性メモリと、設定用のディップスイッチと、を備えていることを特徴とする請求項１又は２に記載の制御盤用操作表示装置。
【請求項４】
１台又は複数台のポンプを制御するポンプ制御盤への入力操作が行われ、かつ前記ポンプ制御盤に関する表示を行う制御盤用操作表示装置において、
前記ポンプの台数に依らず、操作内容に変更が生じない基本操作が行なわれる基本操作部、前記ポンプ制御盤に関する表示を行う表示部及び前記ポンプの最大台数分の表示器とが設けられるとともに、前記基本操作部及び前記表示器を前面側に搭載するとともに、表裏を貫通する複数の開口部が形成された基本機能基板と、
前記基本機能基板に着脱自在に、かつ、ポンプの台数に応じて選択的に取り付けられるとともに、前記ポンプの台数に応じて操作内容に変更が生じる個別操作が行なわれる個別操作部の一部が前記複数の開口部のうち前記ポンプの台数に対応する開口部を介して前記基本機能基板の前面側に露出して設けられた個別機能基板と、
前記基本機能基板の表面側に取り付けられ、前記開口部及び前記表示器の前面側を前記ポンプの台数に応じて閉塞する化粧ラベルと、
前記基本機能基板と前記個別機能基板とを接続する接続部とを備えていることを特徴とする制御盤用操作表示装置。
【発明の詳細な説明】
【技術分野】
【０００１】
本発明は、給水ポンプの制御盤に入力操作する操作部、及びポンプ類の作動状況等を表示する表示部とを備えた制御盤用操作表示装置に関する。
【背景技術】
【０００２】
給水ポンプユニットを制御する制御盤には、制御盤用操作表示装置が設けられ、制御盤用操作表示装置を通して制御盤への操作内容を入力したり、ポンプ類の作動状況を確認するようにしている。例えば、制御盤用操作表示装置は、各種ポンプの運転動作を選択する選択スイッチ、ポンプの作動状況を表示する液晶表示装置、あるいは故障を知らせる故障表示部などを備えて構成されている（例えば、特許文献１参照。）。
【０００３】
給水ポンプユニットは、使用者の需要に応じてポンプの数が異なったり、操作方法が異なっていたりするため、給水ポンプユニットの仕様に対応した制御盤用操作表示装置が用いられていた。
【先行技術文献】
【特許文献】
【０００４】
【特許文献１】特開２００５−３０７７８４号公報
【発明の概要】
【発明が解決しようとする課題】
【０００５】
しかしながら従来は、給水ポンプユニットの仕様が異なるごとに新たに制御盤用操作表示装置を開発し、それぞれの仕様に合わせた制御盤用操作表示装置を別途製造していたので、手間とコストが大きくかかるとともに、重複した無駄な作業を行なうことがあった。
【０００６】
本発明は、上記課題を解決し、開発や製造にかかる手間及びコストを低減でき、無駄な作業の発生を抑えた制御盤用操作表示装置を提供することを目的とする。
【課題を解決するための手段】
【０００７】
本発明は、上記の課題を解決し、目的を達成するため、制御盤用操作表示装置を次のように構成した。すなわち、１台又は複数台のポンプを制御するポンプ制御盤への入力操作が行われ、かつポンプ制御盤に関する表示を行う制御盤用操作表示装置において、ポンプの台数に依らず、操作内容に変更が生じない基本操作が行なわれる基本操作部及びポンプ制御盤に関する表示を行う表示部とを有する基本機能基板と、ポンプの台数に応じて操作内容に変更が生じる個別操作が行なわれる個別操作部を有し、ポンプの台数に対応して選択される個別機能基板と、基本機能基板と個別機能基板とを接続する接続部と、ポンプの最大台数分の表示器と、基本機能基板の表面側に取り付けられ、表示器の前面側をポンプの台数に応じて閉塞する化粧ラベルと、を備え、基本機能基板は、基本操作部及び表示器を前面側に搭載するとともに、表裏を貫通する開口部を有し、個別操作部が開口部を介して基本機能基板の前面側に露出している。
【０００８】
又、１台又は複数台のポンプを制御するポンプ制御盤への入力操作が行われ、かつポンプ制御盤に関する表示を行う制御盤用操作表示装置において、ポンプの台数に依らず、操作内容に変更が生じない基本操作が行なわれる基本操作部、ポンプ制御盤に関する表示を行う表示部及びポンプの最大台数分の表示器とが設けられるとともに、基本操作部及び表示器を前面側に搭載するとともに、表裏を貫通する複数の開口部が形成された基本機能基板と、基本機能基板に着脱自在に、かつ、ポンプの台数に応じて選択的に取り付けられるとともに、ポンプの台数に応じて操作内容に変更が生じる個別操作が行なわれる個別操作部の一部が複数の開口部のうちポンプの台数に対応する開口部を介して基本機能基板の前面側に露出して設けられた個別機能基板と、基本機能基板の表面側に取り付けられ、開口部及び表示器の前面側をポンプの台数に応じて閉塞する化粧ラベルと、基本機能基板と個別機能基板とを接続する接続部とを備えている。
【発明の効果】
【０００９】
本発明によれば、開発や製造にかかる手間及びコストを低減でき、重複した無駄な作業の発生を抑えることができる。
【図面の簡単な説明】
【００１０】
【図１】本発明の一実施形態にかかる制御盤用操作表示装置を示す正面図。
【図２】同制御盤用操作表示装置を示す分解断面図。
【図３】同制御盤用操作表示装置の基本機能基板と個別機能基板とを組み付けるアッセンブリ用パネルを示す正面図。
【図４】同制御盤用操作表示装置の基本機能基板を示す正面図。
【図５】同制御盤用操作表示装置の受水槽流入弁操作部を示す正面図。
【図６】同制御盤用操作表示装置の他の運転故障表示部を示す正面図。
【図７】同制御盤用操作表示装置の他の運転故障表示部を示す正面図。
【図８】同制御盤用操作表示装置の運転選択スイッチ部の生基板を示す正面図。
【図９】同運転選択スイッチ部を示す正面図。
【図１０】同運転選択スイッチ部の他の例を示す正面図。
【図１１】同運転選択スイッチ部の他の例を示す正面図。
【図１２】同制御盤用操作表示装置を示す分解断面図。
【図１３】同制御盤用操作表示装置のブロック図。
【発明を実施するための形態】
【００１１】
図１は、本発明の一実施形態にかかる制御盤用操作表示装置１０（１０Ｂ）を示す正面図であり、図２は、制御盤用操作表示装置１０を分解して示す側面図であり、図３は、基本機能基板１２と個別機能基板とを組み付けるアッセンブリ用パネル１４を示す正面図であり、図４は、基本機能基板１２を示す正面図である。
【００１２】
制御盤用操作表示装置１０は、図１に示すように、給水ポンプユニットのポンプ制御盤Ｐに接続されている。給水ポンプユニットは、２台のポンプから構成されており、図１に示す制御盤用操作表示装置１０は、ポンプ２台運転用の制御盤用操作表示装置１０Ｂである。
【００１３】
制御盤用操作表示装置１０Ｂは、図１及び図２に示すように、基本機能基板１２と、アッセンブリ用パネル１４と、個別機能基板としての第２個別機能基板８８と、第２化粧ラベル３８Ｂと、制御装置１０２とを備え、それらが一体に取り付けられている。第２個別機能基板８８は、ポンプ２台運転用の個別機能基板であり、第２化粧ラベル３８Ｂは、ポンプ２台運転用に形成された化粧ラベル３８である。第２化粧ラベル３８Ｂは、アッセンブリ用パネル１４の表面に貼り付けられている。
【００１４】
制御盤用操作表示装置１０Ｂを具体的に説明する。制御盤用操作表示装置１０Ｂは、図１に示すように、数字を表示する７セグメントＬＥＤ２０と、電源表示リセットスイッチ部２２と、表示器としての運転故障表示部２４と、液晶表示装置２６と、液面表示部２８と、受水槽流入弁操作部３０と、警報部３２と、運転選択スイッチ部３４と、メニュー操作部３６とを備えている。これらは、制御盤用操作表示装置１０の操作部、もしくは表示部として機能する。
【００１５】
７セグメントＬＥＤ２０は、図１に示すように、７つのセグメントを有し、各セグメントの明滅で、ポンプの吐き出し揚程等の値を数字で表示する表示装置である。電源表示リセットスイッチ部２２は、図１に示すように、電源のオンオフの状態を表示する表示部４０と予備を表示する表示部４１、及び故障などにより停止になった状態を解除させるリセットスイッチ４２を有している。
【００１６】
運転故障表示部２４は、図１に示すように、ポンプが正常に運転しているときに点灯する表示部４４と、故障したときに点灯する表示部４５とを備えた表示部である。第２化粧ラベル３８Ｂの運転故障表示部２４には、図１に示す第２故障表示面２５Ｂが用いられ、第２故障表示面２５Ｂにより、給水ポンプユニットに設けられたポンプの台数である２台分の表示部４４と表示部４５が形成されている。
【００１７】
液晶表示装置２６は、ポンプ運転時およびメニュー操作時に必要な各種情報の数値や画像等各種表示内容を適宜必要に応じて、例えばバックライト付きのビットマップで表示を行う表示装置である。液面表示部２８は、図２、及び図６に示すように、満水表示部４７と、減水表示部４８と、渇水表示部４９の各表示部を有し、それぞれの表示部の点灯により水位を報知する。
【００１８】
受水槽流入弁操作部３０は、図１、及び図５に示すように、受水槽を選択する選択スイッチ５０および選択スイッチ５０で選択した受水槽を点灯で表示する表示部５１及び表示部５２を備えている。また受水槽流入弁操作部３０は、流入弁の単独と交互と並列のいずれかを選択する弁選択スイッチ５４及び弁選択スイッチ５４で選択した内容を点灯で表示する表示部５５と表示部５６と表示部５７とを備えている。
【００１９】
更に受水槽流入弁操作部３０は、流入弁の開と閉と自動のいずれかを選択する開閉選択スイッチ５９及び開閉選択スイッチ５９で選択した内容を点灯で表示する表示部６０と表示部６１と表示部６２と、開状態の受水槽を点灯で表示する表示部６３と表示部６４とを備えている。警報部３２は、異常発生を知らせる警報器であり、警報器の印を点灯で表示する表示部６６とスイッチ６７とを備えている。
【００２０】
メニュー操作部３６は、図１に示すように、メニューを呼び出すスイッチ９２と、表示項目を変更させる上方キースイッチ９４及び下方キースイッチ９５と、内容項目を決定する決定キースイッチ９６、及び戻るキースイッチ９８とを備えて構成されている。
【００２１】
以上述べた各機能は、制御盤用操作表示装置１０の基本操作部にかかる基本機能である。各基本機能を実行させる部品類は、図２、及び図４に示す基本機能基板１２上に実装してあり、基本機能基板１２ごとアッセンブリ用パネル１４に取り付けられている。
【００２２】
基本機能基板１２は、図４に示すように、各表示部４０、４１等に対応した位置に発光素子４０ｃ、４１ｃ等が設けてあり、各リセットスイッチ４２や選択スイッチ５０等に対応した位置にスイッチ素子４２ｄ、５０ｄ等がそれぞれ設けられている。なお、各表示部４０、４１等に対応した各発光素子４０ｃ、４１ｃ等、及び各リセットスイッチ４２や選択スイッチ５０等に対応した各スイッチ素子４２ｄ、５０ｄ等には、それぞれ対応した表示部やスイッチ等に付した符号と同一の符号の数字を用い、各数字の末尾にアルファベットを付して表示し、表示部４０等に対応した各発光素子４０ｃ等、及び各リセットスイッチ４２等に対応した各スイッチ素子４２ｄ等の個々の説明は省略する。
【００２３】
アッセンブリ用パネル１４は、例えば合成樹脂材等からなる板状部材であり、図３に示すように、各表示部４０、４１等に対応した位置に通孔４０ａ、４１ａ等が設けられている。又、アッセンブリ用パネル１４には、リセットスイッチ４２や選択スイッチ５０等に対応した位置に弾性変形可能なレバー部４２ｂやレバー部５０ｂ等がそれぞれ設けられている。なお、各通孔４０ａ等や各レバー部４２ｂ等には、それぞれ対応した表示部やスイッチ等に付した符号と同一の符号の数字を用い、各数字の末尾にアルファベットを付して表示し、表示部４０等に対応した各通孔４０ａ等、及び各リセットスイッチ４２等に対応した各レバー部４２ｂ等の個々の説明は省略する。
【００２４】
したがって、アッセンブリ用パネル１４の表面に第２化粧ラベル３８Ｂを貼り付け、かつアッセンブリ用パネル１４に基本機能基板１２を取り付けると、基本機能基板１２に設けられた発光素子４０ｃ等がそれぞれに対応する通孔４０ａ等に一致し、又、基本機能基板１２に設けられたスイッチ素子４２ｄ等がレバー部４２ｂ等に一致し、更にそれぞれが第２化粧ラベル３８Ｂの印刷内容に対応し、表示部４０等やリセットスイッチ４２等が制御盤用操作表示装置１０に形成される。
【００２５】
更に、運転故障表示部２４について説明する。運転故障表示部２４を形成する発光素子４４ｃ及び発光素子４５ｃは、基本機能基板１２に最大ポンプ台数の３台分が図４に示すように予め形成されている。発光素子４４ｃ及び発光素子４５ｃは、制御装置１０２（図１、図１３参照）の制御により、適宜必要な発光素子４４ｃ等が点灯し、給水ポンプユニットに設けられていないポンプに関する発光素子４４ｃは制御により点灯しないように制御している。
【００２６】
仮に給水ポンプユニットのポンプが１台のときは、ポンプ１台用の第１化粧ラベル３８Ａがアッセンブリ用パネル１４に貼り付けられる。第１化粧ラベル３８Ａの運転故障表示部２４には、図６に示す第１故障表示面２５Ａが用いられる。又、給水ポンプユニットのポンプが３台のときは、ポンプ３台用の第３化粧ラベル３８Ｃがアッセンブリ用パネル１４に貼り付けられる。第３化粧ラベル３８Ｃの運転故障表示部２４には、図７に示す第３故障表示面２５Ｃが用いられる。これにより、それぞれの台数に対応した運転故障表示部２４が形成される。更に、給水ポンプユニットのポンプが３台以上の場合には、複数の制御盤用操作表示装置１０Ｃ等を用いることで対応が可能である。
【００２７】
次に、制御盤用操作表示装置１０の個別機能について説明する。個別操作部としては、例えばアッセンブリ用パネル１４の取付部３５に取り付けられる運転選択スイッチ部３４がある。運転選択スイッチ部３４は、ポンプの運転動作と運転させるポンプを選択する運転選択スイッチであり、運転選択スイッチ部３４が有する運転選択機能は、給水ポンプユニットが有するポンプの数により異なり、それ故個別機能となっている。
【００２８】
アッセンブリ用パネル１４及び基本機能基板１２には、図３、及び図４に示すように、後述する運転選択スイッチ８２を通す、開口部としての孔８３ａ、８３がそれぞれ５箇所に形成されている。
【００２９】
図１に示す制御盤用操作表示装置１０Ｂは、上述したように給水ポンプユニットが２台のポンプで構成されている場合に用いられるものであるので、運転選択スイッチ部３４には、第２個別機能基板８８が設けられ、動作選択スイッチ８２Ａとポンプ選択スイッチ８２Ｂの２つのスイッチからなる運転選択スイッチ８２を設けられている。
【００３０】
第２個別機能基板８８は、図８に示す生基板８０に、図１２に示す運転選択スイッチ８２を取り付けて形成されている。生基板８０は、図８に示すように、運転選択スイッチ８２を取り付けるためのパターン８４を５箇所に備えた基板である。運転選択スイッチ８２は、図２や図１２に示すようにスイッチ本体８５と、つまみ８７から構成されている。スイッチ本体８５は、生基板８０のいずれのパターン８４にも取付可能で、スイッチ本体８５の軸８９につまみ８７が嵌め合わされて、つまみ８７で操作される。
【００３１】
第２個別機能基板８８は、生基板８０にスイッチ本体８５を、図８に示す生基板８０の左右両側のパターン８４の一つ内側に設けられた２つのパターン８４のそれぞれに取り付けて形成されている。かかる第２個別機能基板８８が、図２に示すようにアッセンブリ用パネル１４に取り付けられる。
【００３２】
制御盤用操作表示装置１０Ｂの運転選択スイッチ部３４には、第２化粧ラベル３８Ｂの第２スイッチ表示面３７Ｂが用いられている。第２スイッチ表示面３７Ｂは、図１及び図１０に示すように、向かって左側に運転状態を選択する表示内容が、同右側には、ポンプを選択する選択内容が表示されている。
【００３３】
したがって制御盤用操作表示装置１０Ｂには、図１及び図１０に示すように、ポンプの運転動作を選択する動作選択スイッチ８２Ａと、運転させるポンプを選択するポンプ選択スイッチ８２Ｂの２つのスイッチからなる運転選択スイッチ８２が設けられる。図１及び図１０には、運転選択スイッチ８２としてつまみ８７を示す。
【００３４】
なお、給水ポンプユニットが２台のポンプで構成されている制御盤用操作表示装置１０Ｂの場合、２台のポンプの双方を選択する選択肢を盛り込むために、第２個別機能基板８８にポンプの動作を選択する動作選択スイッチ８２Ａとポンプを選択するポンプ選択スイッチ８２Ｂを設けたが、２つのスイッチをともにそれぞれのポンプの動作を選択する動作選択スイッチ８２Ａとしてもよい。
【００３５】
一方図９に、給水ポンプユニットが１台のポンプで構成されているときに用いられる制御盤用操作表示装置１０Ａの運転選択スイッチ部３４を示す。この場合、アッセンブリ用パネル１４には、第１化粧ラベル３８Ａが貼り付けられ、第１個別機能基板８６が取り付けられている。第１化粧ラベル３８Ａは、運転選択スイッチ部３４に第１スイッチ表示面３７Ａが用いられ、第１個別機能基板８６は、生基板８０の中央のパターン８４に運転選択スイッチ８２が１つ設けられている。したがって、給水ポンプユニットが１台のポンプで構成されている制御盤用操作表示装置１０Ａの運転選択スイッチ部３４には、運転選択スイッチ８２が１つ設けられる。
【００３６】
又、図１１に、給水ポンプユニットが３台のポンプで構成されているときに用いられる制御盤用操作表示装置１０Ｃの運転選択スイッチ部３４を示す。この場合、アッセンブリ用パネル１４には、第３化粧ラベル３８Ｃが貼り付けられ、第３個別機能基板９０が取り付けられている。第３化粧ラベル３８Ｃは、運転選択スイッチ部３４に第３スイッチ表示面３７Ｃが用いられ、第３個別機能基板９０は、生基板８０の左右両端と中央の３つのパターン８４に運転選択スイッチ８２が３つ設けられている。したがって、給水ポンプユニットが３台のポンプで構成されている制御盤用操作表示装置１０Ｃの運転選択スイッチ部３４には、３つの運転選択スイッチ８２が均等に設けられる。
【００３７】
アッセンブリ用パネル１４に取り付けられた第２個別機能基板８８は、基本機能基板１２と、図２に示すように接続部としての接続コード９１で接続される。図１２に、接続コード９１で第２個別機能基板８８と基本機能基板１２とを接続した状態を示す。接続コード９１は、第１個別機能基板８６、第２個別機能基板８８、第３個別機能基板９０のいずれとも接続可能で、仕様に応じてアッセンブリ用パネル１４に取り付けられたそれらと基本機能基板１２とを接続させる。
【００３８】
更に基本機能基板１２には、図１３に示すように、上述した電源表示リセットスイッチ部２２や受水槽流入弁操作部３０や警報部３２やメニュー操作部３６等の入力部１０１の他、操作表示ポンプ制御用マイコン（マイクロコンピュータ）である制御装置１０２と、不揮発性メモリ（ＥＥＰＲＯＭ）１０４と、設定用のディップスイッチ１０６と、汎用プロトコルであるＭｏｄｂｕｓ−ＲＴＵによってシリアル通信可能な通信ポート１１０やその他の通信プロトコルによってシリアル通信可能な通信ポート１１２を備え、それぞれにＲＪ−４５コネクタ１１４、１１６を有している。
【００３９】
このように構成した本実施形態にかかる制御盤用操作表示装置１０の作用、及び効果について説明する。基本機能基板１２は、上述したように第１個別機能基板８６等の個別機能を除く基本機能にかかわる各部品を実装している。そして基本機能基板１２をアッセンブリ用パネル１４に取り付け、適宜複数個の基本基台１５（図２参照。）を予め製造する。
【００４０】
又、給水ポンプユニットの個別機能を実行する第１個別機能基板８６と第２個別機能基板８８と第３個別機能基板９０のそれぞれについて、予め適当な数を製造する。
【００４１】
そして、例えば２台のポンプを備えた仕様の給水ポンプユニットの注文があったとする。すると、まず最初に、アッセンブリ用パネル１４に基本機能基板１２を取り付けた基本基台１５を用意し、その基本基台１５に、仕様に適合した第２個別機能基板８８をねじで、図２に示すように取り付ける。そして、第２個別機能基板８８と基本機能基板１２とを接続コード９１で接続させる。次に、図１２に示すようにアッセンブリ用パネル１４の表面に、２台のポンプ用の第２化粧ラベル３８Ｂを貼り付ける。
【００４２】
これにより、制御盤用操作表示装置１０Ｂには、基本的な制御機能が基本機能基板１２により、そして仕様に適合した２台の運転選択スイッチ８２が第２個別機能基板８８により、又第２化粧ラベル３８Ｂにより仕様に適合した表示部とが備えられる。したがって、２台のポンプの仕様に対応した制御盤用操作表示装置１０Ｂを簡易に、少ない手間とコストで製造することができる。
【００４３】
そして、例えばポンプが１台の仕様の給水ポンプユニットの注文があったときは、基本機能基板１２は変わらず、基本基台１５に第１個別機能基板８６を取り付け、第１化粧ラベル３８Ａを基本基台１５に貼り付ける。これにより、給水ポンプユニットが１台のポンプで構成されている場合の制御盤用操作表示装置１０Ａが構成される。
【００４４】
更に、同様にポンプが３台の場合では、基本基台１５に第３個別機能基板９０を取り付け、第３化粧ラベル３８Ｃを基本基台１５に貼り付ける。これにより、給水ポンプユニットが３台のポンプで構成されている場合の制御盤用操作表示装置１０Ｃが構成される。
【００４５】
したがって、本実施形態にかかる制御盤用操作表示装置１０は、ポンプユニットの仕様が異なるごとに異なる開発、製造を行う必要がなく、量産可能な基本基台１５に、個別機能を有する個別機能基板を取り付けることにより、開発や製造にかかる手間及びコストを低減でき、重複した無駄な作業の発生を抑えることができる。
【００４６】
なお、本発明は、上記実施の形態に限定されるものではない。例えば給水ポンプユニットのポンプの数は、３台までに限るものでない。この他、本発明の要旨を逸脱しない範囲で種々変形実施可能であるのは勿論である。
【産業上の利用可能性】
【００４７】
本発明は、給水ポンプユニットの制御盤用操作表示装置に適用することができる。
以下に、本願出願の当初の特許請求の範囲に記載された発明を付記する。
［１］  １台又は複数台のポンプを制御するポンプ制御盤への入力操作が行われ、かつ前記ポンプ制御盤に関する表示を行う制御盤用操作表示装置において、
前記ポンプの台数に依らず、操作内容に変更が生じない基本操作が行なわれる基本操作部及び前記ポンプ制御盤に関する表示を行う表示部とを有する基本機能基板と、
前記ポンプの台数に応じて操作内容に変更が生じる個別操作が行なわれる個別操作部を有し、前記ポンプの台数に対応して選択される個別機能基板と、
前記基本機能基板と前記個別機能基板とを接続する接続部とを備えていることを特徴とする制御盤用操作表示装置。
［２］  前記基本機能基板には、数値を表示する７セグメントＬＥＤ、電源の表示及びリセットを操作する電源表示リセットスイッチ部、運転の故障を表示する運転故障表示部、ポンプ運転時およびメニュー操作時に必要な各種情報を表示する液晶表示装置、水位を表示する液面表示部、受水槽の選択及び流入弁の操作を行う受水槽流入弁操作部、警報を行う警報部、メニューを選択決定するメニュー操作部が設けられ、
前記個別機能基板には、前記ポンプの台数に対応した、該ポンプの運転内容を入力する運転選択スイッチ部が設けられていることを特徴とする［１］に記載の制御盤用操作表示装置。
［３］  汎用プロトコルであるＭｏｄｂｕｓ−ＲＴＵによってシリアル通信可能な通信ポート及び前記Ｍｏｄｂｕｓ−ＲＴＵ以外の通信プロトコルによってシリアル通信可能な通信ポートと、前記操作部と前記表示部を制御するマイクロコンピュータからなる制御装置と、電源にかかわらず記憶内容を保持する不揮発性メモリと、設定用のディップスイッチと、を備えていることを特徴とする［１］又は［２］に記載の制御盤用操作表示装置。
［４］  前記ポンプの最大台数分の表示器と、
前記基本機能基板の表面側に取り付けられ、前記表示器の前面側を前記ポンプの台数に応じて閉塞する化粧ラベルとを備えていることを特徴とする［１］〜［３］のいずれか１項に記載の制御盤用操作表示装置。
［５］  前記基本機能基板は、前記基本操作部及び前記表示器を前面側に搭載するとともに、表裏を貫通する開口部を有し、
前記個別操作部が前記開口部を介して前記基本機能基板の前面側に露出していることを特徴とする［１］〜［４］のいずれか１項に記載の制御盤用操作表示装置。
［６］  １台又は複数台のポンプを制御するポンプ制御盤への入力操作が行われ、かつ前記ポンプ制御盤に関する表示を行う制御盤用操作表示装置において、
前記ポンプの台数に依らず、操作内容に変更が生じない基本操作が行なわれる基本操作部、前記ポンプ制御盤に関する表示を行う表示部及び前記ポンプの最大台数分の表示器とが設けられるとともに、表裏を貫通する複数の開口部が形成された基本機能基板と、
前記基本機能基板に着脱自在に、かつ、ポンプの台数に応じて選択的に取り付けられるとともに、前記ポンプの台数に応じて操作内容に変更が生じる個別操作が行なわれる個別操作部の一部が前記複数の開口部のうち前記ポンプの台数に対応する開口部を介して前記基本機能基板の前面側に露出して設けられた個別機能基板と、
前記基本機能基板の表面側に取り付けられ、前記開口部及び前記表示器の前面側を前記ポンプの台数に応じて閉塞する化粧ラベルと、
前記基本機能基板と前記個別機能基板とを接続する接続部とを備えていることを特徴とする制御盤用操作表示装置。
【符号の説明】
【００４８】
１０…制御盤用操作表示装置、１２…基本機能基板、１４…アッセンブリ用パネル、１５…基本基台、２０…７セグメントＬＥＤ、２２…電源表示リセットスイッチ部、２４…運転故障表示部、２６…液晶表示装置、２８…液面表示部、３０…受水槽流入弁操作部、３２…警報部、３４…運転選択スイッチ部、３６…メニュー操作部、３８…化粧ラベル、４０、４１、…表示部、４２…リセットスイッチ、４７…満水表示部、４８…減水表示部、４９…渇水表示部、５０…選択スイッチ、５４…弁選択スイッチ、５９…開閉選択スイッチ、６０、６１…表示部、６７…スイッチ、８０…生基板、８２…運転選択スイッチ、８３…孔、８６…第１個別機能基板、８８…第２個別機能基板、９０…第３個別機能基板、９１…接続コード、９２…スイッチ、９４…上下キースイッチ、９６…決定キースイッチ、９８…キースイッチ、１０２…操作表示ポンプ制御用マイコン、１０４…不揮発性メモリ、１０６…ディップスイッチ、１１０、１１２…通信ポート、１１４、１１６…コネクタ。
【図１】
0005848921.tif 000002
【図２】
0005848921.tif 000003
【図３】
0005848921.tif 000004
【図４】
0005848921.tif 000005
【図５】
0005848921.tif 000006
【図６】
0005848921.tif 000007
【図７】
0005848921.tif 000008
【図８】
0005848921.tif 000009
【図９】
0005848921.tif 000010
【図１０】
0005848921.tif 000011
【図１１】
0005848921.tif 000012
【図１２】
0005848921.tif 000013
【図１３】
0005848921.tif 000014